(57)【要約】  濾床内の濾材を排水し逆洗するのに使用される暗渠フィルタ・ブロックは、上壁と、この上壁から延出する側壁対と、これら側壁対の間に延出する底壁と、前記側壁対の一方から前記側壁対の他方へと延出する横壁とを有する。前記上壁と前記側壁対と前記底壁とによって上方部と下方部とが形成される。前記下方部は、前記底壁と前記横壁との間に位置するグラウト・チャンバを有し、前記底壁と前記側壁対との少なくとも一方は開口部を有する。
2013517135.tif 000002
【特許請求の範囲】
【請求項１】
濾床内の濾材を排水し逆洗するのに使用される暗渠フィルタ・ブロックであって、
上壁と、前記上壁から延出する側壁対と、前記側壁対の間に延出する底壁と、前記側壁対の一方から前記側壁対の他方へと延出する横壁と、を有し、
前記上壁と前記側壁対と前記底壁とによって上方部と下方部とが形成され、前記下方部は、前記底壁と前記横壁との間に位置するグラウト・チャンバを有し、更に、前記底壁と前記側壁対との少なくとも一方は開口部を有する暗渠フィルタ・ブロック。
【請求項２】
前記底壁と前記側壁対とによって前記下方部に複数の開口部が形成される請求項１に記載の暗渠フィルタ・ブロック。
【請求項３】
前記上方部は、一対の傾斜延出壁によって形成される、第１チャンバと、少なくとも１つの第２チャンバとを有する請求項１に記載の暗渠フィルタ・ブロック。
【請求項４】
前記上壁、前記横壁および前記側壁対の一部は第１ピースを含み、前記底壁および前記側壁対の一部は第２ピースを含み、前記第１ピースは前記第２ピースに固定されている請求項１に記載の暗渠フィルタ・ブロック。
【請求項５】
更に、前記側壁対と前記底壁とにそってほぼ周方向に延出する複数のリブを有する請求項１に記載の暗渠フィルタ・ブロック。
【請求項６】
前記グラウト・チャンバは、前記暗渠フィルタ・ブロックの全長に渡って延出している請求項１に記載の暗渠フィルタ・ブロック。
【請求項７】
前記グラウト・チャンバは、前記暗渠フィルタ・ブロックの全長の一部にのみ亘って延出している請求項１に記載の暗渠フィルタ・ブロック。
【請求項８】
前記グラウト・チャンバは、前記側壁対の最外部分に対して内方に陥没している請求項１に記載の暗渠フィルタ・ブロック。
【請求項９】
前記上方部は、湾曲壁によって形成される、第１チャンバと少なくとも１つの第２チャンバとを備える請求項１に記載の暗渠フィルタ・ブロック。
【請求項１０】
前記複数の開口部のそれぞれは円形状である請求項１に記載の暗渠フィルタ・ブロック。
【請求項１１】
濾床内の濾材を排水し逆洗するのに使用される暗渠フィルタ・ブロックであって、
上壁と、前記上壁から延出する側壁対と、前記側壁対の間に延出する底壁と、を有し、
前記上壁と前記側壁対と前記底壁とによって上方部と下方部とが形成され、前記下方部は、前記底壁の底面上に位置する格子状構造体によって形成される複数のグラウト・チャンバを有し、前記暗渠フィルタ・ブロックの前記底面は、前記複数のグラウト・チャンバのそれぞれの内部へと延出する複数の空気抜き開口部を備える暗渠フィルタ・ブロック。
【請求項１２】
濾床内の濾材を排水し逆洗するのに使用される暗渠フィルタ・ブロックであって、
上壁と、前記上壁から延出する側壁対と、前記側壁対の間に延出する底壁と、前記側壁対と前記底壁とに沿って周方向に延出する複数のリブと、前記複数のリブ間に延出して複数のグラウト・チャンバを形成する複数の壁セグメントと、を備える暗渠フィルタ・ブロック。
【請求項１３】
前記複数の壁セグメントは、前記底壁の下方に位置する請求項１２に記載の暗渠フィルタ・ブロック。
【請求項１４】
前記複数の壁セグメントのそれぞれは、複数の開口部を備えている請求項１２に記載の暗渠フィルタ・ブロック。
【請求項１５】
更に、湾曲壁によって形成される、第１チャンバと少なくとも一つの第２チャンバとを備える請求項１２に記載の暗渠フィルタ・ブロック。
【請求項１６】
暗渠フィルタ・ブロックを設置する方法であって、
前記暗渠フィルタ・ブロックは、上壁と、この上壁から延出する側壁対と、これら側壁対の間に延出する底壁と、前記側壁対の一方から前記側壁対の他方へと延出する横壁とを有し、前記暗渠フィルタ・ブロックは、更に、前記底壁と前記横壁との間に位置するグラウト・チャンバを有し、該グラウト・チャンバは、前記底壁と前記側壁対の一方との少なくとも一つによって形成される少なくとも１つの開口部を備え、
前記暗渠フィルタ・ブロックを濾床の近傍に配置する工程と、
前記側壁対と前記底壁とに沿って、グラウトが前記少なくとも１つの開口部内に延出するように前記グラウトを提供する工程と、を有する暗渠フィルタ・ブロックを設置する方法。
【請求項１７】
前記グラウトは、前記濾床上にレベリング用グラウト部分を配置することによって前記暗渠フィルタ・ブロックの前記底壁に沿って提供される請求項１６に記載の暗渠フィルタ・ブロックを設置する方法。
【請求項１８】
前記暗渠フィルタ・ブロックは、前記暗渠フィルタ・ブロックの前記底壁と前記側壁対とによって形成される複数の開口部を有し、前記底壁および前記側壁対の開口部のそれぞれがグラウトを受ける請求項１６に記載の暗渠フィルタ・ブロックを設置する方法。
【請求項１９】
前記暗渠フィルタ・ブロックは、前記濾床上の前記レベリング用グラウト部分上に配置される請求項１７に記載の暗渠フィルタ・ブロックを設置する方法。
【請求項２０】
前記グラウトは、前記暗渠フィルタ・ブロックを前記レベリング用グラウト部分上に配置した後に、前記暗渠フィルタ・ブロックの前記側壁対に沿って提供される請求項１９に記載の暗渠フィルタ・ブロックを設置する方法。
【請求項２１】
暗渠フィルタ・ブロックを組み付ける方法であって、
上壁と、この上壁から延出する側壁対と、これら側壁対の間に延出する底壁とを備える第１ピースを提供する工程と、
内壁を形成する第２ピースを提供する工程と、
前記第２ピースを前記第１ピースに挿入する工程と、
前記第１ピースを前記第２ピースに固定する工程と、を有する暗渠フィルタ・ブロックを組み付ける方法。
【請求項２２】
前記第２ピースの前記内壁は、横壁と湾曲壁とを備える請求項２１に記載の暗渠フィルタ・ブロックを組み付ける方法。
【請求項２３】
更に、前記第１ピースの前記側壁によって形成される溝を、前記第２ピースの前記横壁に係合する工程を有する請求項２２に記載の暗渠フィルタ・ブロックを組み付ける方法。
【請求項２４】
更に、前記第２ピースの前記横壁を前記第１ピースの前記底壁から離間させる工程を有する請求項２２に記載の暗渠フィルタ・ブロックを組み付ける方法。
【発明の詳細な説明】
【技術分野】
【０００１】
関連出願の相互参照
本出願は、その開示内容の全体をここに参考文献として合体させる、２０１０年１月１８日出願の米国仮特許出願第６１／２９５，８９１号の優先権を主張するものである。
【０００２】
本発明は、暗渠フィルタ・ブロック、特に、濾床内の濾材を排水し逆洗するのに使用されるフィルタ・ブロック、および、濾床に前記フィルタ・ブロックを設置する方法に関する。
【背景技術】
【０００３】
暗渠フィルタ・ブロックは、濾材を支持するための上面を提供するべく多数のフィルタ・ブロックを組み付けることによって濾材底を提供する。前記濾材底の上面は、濾材からの濾過された液体が導管によってこの濾過液を濾材から搬送する濾材底へと通過することを許容する複数の開口部を備えている。前記導管は、又、濾材にその洗浄のために、気体又は液体あるいはこれらの両方などの逆洗用流体を提供する作用も提供するBerkebile他による特許文献１には暗渠フィルタ・ブロックを開示しており、この文献の全体をここに参考文献として合体させる。
【０００４】
一般に、従来の暗渠フィルタ・ブロックでは、暗渠を介した水頭損失(headloss)によって生じる内部圧力によるアップリフト障害が生じやすい。状来の暗渠フィルタ・ブロックの水頭損失又は内部圧力によって、この暗渠フィルタ・ブロックの底部が内部圧力から偏向又は変形することによって、暗渠フィルタ・ブロックが濾床から離間しようとする。
【０００５】
Sturgillによる特許文献２には、と図５，６及び図１３に図示されているように、側壁を越えて外側に延出してフランジを形成する底壁を備える暗渠ユニットを開示している。この底壁に形成された穿孔は、暗渠ユニットの下方に設けられるグラウト材と係合することによって濾材ベイズンの床に暗渠を固定するのに役立つ。図６を参照すると、濾材ユニットの端部壁は、ユニットの下方に設けられるグラウト材との物理的係合を提供する複数の穿孔を備えている。
【０００６】
Hunkele他による特許文献３には、暗渠ブロックを濾床に固定するためのアンカー（固定）技術思想を開示している。詳しくは、特許文献３には、濾床上のグラウトに埋設されたレッジを形成するべく、リブから外方に延出する単数又は複数の拡幅部（widening）から構成されるアンカーを使用することについて開示している。
【０００７】
Stuppyによる特許文献４とRobertsによる特許文献５とは、フィルタ・ブロックの底壁がリッジ或いは溝を備えて形成されるフィルタ・ブロック構造を開示している。
【先行技術文献】
【特許文献】
【０００８】
【特許文献１】米国特許第５，１０８，６２７号明細書
【特許文献２】米国特許第３，９５６，１３４号明細書
【特許文献３】米国特許第６，１１０，３６６号明細書
【特許文献４】米国特許第３，１１０，６６７号明細書
【特許文献５】米国特許第４，６１９，７６５号明細書
【発明の概要】
【発明が解決しようとする課題】
【０００９】
本発明は、暗渠フィルタ・ブロック、特に、濾床内の濾材を排水し逆洗するのに使用されるフィルタ・ブロック、および、濾床に前記フィルタ・ブロックを設置する方法を提供する。
【課題を解決するための手段】
【００１０】
一実施例において、濾床内の濾材を排水し逆洗するのに使用される暗渠フィルタ・ブロックは、上壁と、この上壁から延出側壁対と、これら側壁対との間に延出する底壁と、前記側壁対の一方から前記側壁対の他方へと延出する横壁とを有する。前記上壁と前記側壁対と前記底壁とによって上方部と下方部とが形成される。前記下方部は、前記底壁と前記横壁との間に位置するグラウト・チャンバを有し、前記底壁と前記側壁対との少なくとも一方は開口部を有する。
【００１１】
前記底壁と前記側壁対とは、前記下方部に複数の開口部を形成してもよい。前記上方部には、一対の傾斜（angularly）延出壁によって、第１チャンバと少なくとも１つの第２チャンバとを形成してもよい。前記上壁と、前記横壁と、前記側壁対の一部分とは、第１ピースを備えることができ、前記底壁と前記側壁対の一部分とは第２ピースを備えることができ、前記第１ピースは前記第２ピースに固定される。前記暗渠フィルタ・ブロックは、更に、前記側壁対と前記底壁とに沿ってほぼ周方向に延出する複数のリブを備えることができる。前記グラウト・チャンバは、暗渠フィルタ・ブロックの全長に延出してもよく、或いは、暗渠フィルタ・ブロックの全長の一部のみに亘って延出してもよい。前記グラウト・チャンバは、前記側壁対の最外部分に対して内方に陥没したものとすることができる。前記上方部は、湾曲壁によって形成される、第１チャンバと少なくとも１つの第２チャンバとを備えることができる。前記複数の開口部は円形にすることができる。
【００１２】
別の実施例において、濾床内の濾材を排水し逆洗するのに使用される暗渠フィルタ・ブロックは、上壁と、この上壁から延出する側壁対と、これら側壁対の間に延出する底壁とを有する。前記上壁と前記側壁対と前記底壁とによって上方部と下方部とが形成される。前記下方部は、前記底壁の底面上に位置する格子状構造体によって形成される複数のグラウト・チャンバを有する。前記ブロックの前記底面は、前記複数のグラウト・チャンバのそれぞれの内部へと延出する複数の空気抜き開口部を備える。
【００１３】
別実施例において、濾床内の濾材を排水し逆洗するのに使用される暗渠フィルタ・ブロックは、上壁と、この上壁から延出する側壁対と、これら側壁対の間に延出する底壁と、前記側壁対と前記底壁とに沿って周方向に延出する複数のリブと、これら複数のリブ間に延出して複数のグラウト・チャンバを形成する複数の壁セグメントとを有する。前記複数のグラウト・チャンバは、前記底壁の下方に位置することができる。前記複数の壁セグメントのそれぞれは、複数の開口部を備えることができる。前記暗渠フィルタ・ブロックは、更に、湾曲壁によって形成される、第１チャンバと少なくとも一つの第２チャンバとを備えることができる。
【００１４】
更に別の実施例において、暗渠フィルタ・ブロックを設置する方法は、暗渠フィルタ・ブロックを濾床の近傍に配置する工程を有する。前記暗渠フィルタ・ブロックは、上壁と、この上壁から延出する側壁対と、これら側壁対の間に延出する底壁と、前記側壁対の一方から前記側壁対の他方へと延出する横壁とを有する。前記暗渠フィルタ・ブロックは、更に、前記底壁と前記横壁との間に位置するグラウト・チャンバを有し、前記底壁と前記側壁対の一方との少なくとも一つによって形成される少なくとも１つの開口部を備える。前記方法は、更に、前記側壁対と前記底壁とに沿って、グラウトが前記少なくとも１つの開口部内に延出するように、グラウトを提供する工程を有する。
【００１５】
前記グラウトは、前記濾床上にレベリング用グラウト部分を配置することによって前記ブロックの前記底壁に沿って提供することができる。前記ブロックの前記底壁と前記側壁対とによって複数の開口部を、前記底壁と前記側壁対とのこれら開口部のそれぞれがグラウトを受け入れるように形成することができる。前記暗渠フィルタ・ブロックは、前記濾床上の前記レベリング用グラウト部分上に配置することができる。前記グラウトは、前記暗渠フィルタ・ブロックを前記レベリング用グラウト部分上に配置した後に、前記暗渠フィルタ・ブロックの前記側壁対に沿って提供される。
【００１６】
更に別の実施例において、暗渠フィルタ・ブロックを組み付ける方法は、上壁と、この上壁から延出する側壁対と、これら側壁対の間に延出する底壁とを備える第１ピースを提供する工程を有する。前記方法は、更に、内壁を形成する第２ピースを提供する工程と、前記第２ピースを前記第１ピースに挿入する工程と、前記第１ピースを前記第２ピースに固定する工程、とを有する。
【００１７】
前記第２ピースの前記内壁は、横壁と湾曲壁とを備えることができる。前記方法は、更に、前記第１ピースの前記側壁によって形成される溝を前記第２ピースの前記横壁に係合する工程を有する。前記方法は、更に、前記第２ピースの前記横壁を前記第１ピースの前記底壁から離間させる工程を有することができる。
【図面の簡単な説明】
【００１８】
【図１】本発明の一実施例による暗渠フィルタ・ブロックの正面図である。
【図２】図１のフィルタ・ブロックの底面図である。
【図３】図１の線３−３に沿ったフィルタ・ブロックの拡大断面図である。
【図４】前記フィルタ・ブロックがベース・グラウト上に載置された状態を示す、図１のフィルタ・ブロックの正面図である。
【図５】それらのフィルタ・ブロックが設置された状態を示す、図１のフィルタ・ブロックの複数の拡大断面図である。
【図６】本発明の第２実施例による暗渠フィルタ・ブロックの斜視図である。
【図７】図６の線７−７に沿ったフィルタ・ブロックの拡大断面図である。
【図８】本発明の第３実施例による暗渠フィルタ・ブロックの斜視図である。
【図９】本発明の第４実施例による暗渠フィルタ・ブロックの斜視図である。
【図１０】本発明の第５実施例による暗渠フィルタ・ブロックの斜視図である。
【図１１】本発明の第６実施例による暗渠フィルタ・ブロックの斜視図である。
【図１２】本発明の第７実施例による暗渠フィルタ・ブロックの分解斜視図である。
【図１３】本発明の第８実施例による暗渠フィルタ・ブロックの分解斜視図である。
【図１４】本発明の第９実施例による暗渠フィルタ・ブロックの斜視図である。
【図１５】本発明の第１０実施例による暗渠フィルタ・ブロックの分解斜視図である。
【発明を実施するための形態】
【００１９】
以下の説明において、空間の向きを表す用語は、それらが使用される場合において、以下の詳細説明において特に銘記されない限り、添付の図面における向きにおいてこれらの実施例に関連するものである。又、添付の図面に図示されここに記載される具体的装置は、単に例示的なものであつて、限定的なものと解釈されてはならない。
【００２０】
図１−３を参照すると、暗渠フィルタ・ブロック１０の一実施例は、上壁１５と、一対の側壁１７と、底壁１９とを備え、これらはそれぞれ、上面２１と、側面２３と、底面２５、を形成している。前記ブロック１０は、前記壁１５，１７，１９の外面上に、複数の補強リブ２７を備えている。これらのリブ２７は、全体に、前記ブロック１０の長手軸心に沿うのではなく、このブロック１０の回りに周方向に向けられている。但し、これ以外のリブの向き及び構成も利用可能である。前記上壁１５上のリブ２７は、前記底壁１９上に位置するリブから分離又は非連続である。但し、前記ブロック１０の回りに周方向に延出する単一のリブも利用可能である。図３に図示されているように、一方の側壁１７から他方の側壁１７へと横内壁２９が延出して、ブロック１０内部を上方部３１と下方部３３とに分割している。前記上壁１５は、ブロック１０の長手軸心に沿って延出する凹部を形成している。前記側壁１７はほぼ平坦である。但し、ブロック１０の断面の幅がいくつかの領域において狭くなるように、これら側壁に凹部を設けることも可能である。前記ブロック１０の端部は、隣接するブロックの各端部を受け入れるように構成され、それによって複数の暗渠フィルタ・ブロックを端部同士で固定可能である。
【００２１】
前記ブロック１０の前記下方部３３は、前記横壁２９と、側壁１７と底壁１９とによって形成されるグラウト・チャンバ３５を備えている。このグラウト・チャンバ３５は、ブロック１０の各端部において開口している。但し、このチャンバ３５は、その一方又は両方の端部において閉じるように構成することも可能である。前記グラウト・チャンバ３５は、ブロック１０の全長に沿って長手方向に延出している。但し、このチャンバ３５の長さをブロック１０の全長よりも短いものとすることも可能である。前記ブロック１０の上方部３１は、一対の傾斜延出壁４３によって形成される、第１チャンバ３７と一対の第２チャンバ４０，  ４１とを有する。実質的に平坦な傾斜延出壁４３を提供する代わりに、前記第１チャンバ３７と第２チャンバ４０，４１とを形成する前記内壁を、例えば、後述する図６及び７に図示されているもののように弓状又は湾曲状にすることも可能である。前記上壁１５と、前記傾斜延出壁４３とによって、従来の暗渠フィルタ・ブロックにおいて知られているように液体と気体との分配を提供する複数のオリフィス（図示せず）が形成される。
【００２２】
前記フィルタ・ブロック１０の前記底壁１９は、前記グラウト・チャンバ３５内へと延出する複数の開口部４５を形成している。前記側壁１７のそれぞれも、前記ブロック１０の前記下方部３３に複数の開口部４７を形成し、これらの開口部４７は前記グラウト・チャンバ３５内に延出している。前記側壁１７の開口部４７は、ブロック１０の全長に渡っては設けられていないが、他の構成においては、これらをブロック１０の全長に渡って設けることも可能である。前記側壁１７と底壁１９とが開口部４５，４７を備えているが、これら側壁１７又は底壁１９の一方、又は他方には開口部が設けられないように構成することも可能である。更に、前記側壁１７と底壁１９はグラウト・チャンバ３５内に延出する開口部を備えなくてもよい。そのような構成においては、前記ブロック１０は、グラウト・チャンバ３５と流体連通するグラウト導入スクープ（図示せず）を備えることができる。更に、前記開口部４５，４７は、実質的に円形状であるが、これらを長円状、四角形状、その他の適当な形状などする他の構成も可能である。前記グラウト・チャンバ３５は、ブロック１０と一体形成して、一体の単一構造体を構成するようにすることができる。前記グラウト・チャンバ３５は、又、複数のピースから構成することも可能である。具体的には、グラウト・チャンバ３５は、ボルトや溶接などの固定構造によってブロック１０の残り部分に対して別体として形成して固定することができる。
【００２３】
図４及び５を参照すると、設置作業中において、前記ブロック１０は、前記側壁１７と底壁１９とに形成された前記開口部４５，４７を通してグラウト・チャンバ３５に流入するグラウト５０，５２によって位置固定される。このグラウト５０，５２は、更に、グラウト・チャンバ３５とブロック１０との回りを、ブロック１０の側壁１７の上部に向けて上方にも流れる。
【００２４】
一実施例において、前記暗渠フィルタ・ブロック１０は、図４と図５とに全体として図示されているように設置される。具体的には、図４に図示されているように、ブロック１０は、濾床５４上に設けられたレベリング用グラウト５０に位置決め又はセットされる。前記レベリング用グラウト５０は、前記底壁１９の開口部４５を介して僅かにグラウト・チャンバ３５内へと突出している。前記レベリング用グラウト５０が十分に硬化すると、側部グラウト５２を適用する。側部グラウト５２の設置中、ブロック１０の下方部３３のグラウト・チャンバ３５は、少なくとも部分的にグラウトによって満たされる。図５に図示されているように、前記グラウト・チャンバ３５全体を設置後にグラウトによって満たすことができる。グラウト・チャンバ３５の開口部４５，４７からのグラウトの突出によって、ブロック１０がしっかりと位置保持され、それによってブロック１０に作用する浮揚力に打ち勝つ。更に、暗渠フィルタ・ブロック１０、特に、ブロック１０の底壁１９、が、グラウト・チャンバ３５に進入するグラウト５０，５２によって強化される。前記底壁１９とブロック１０との硬化によって、内部圧力によるブロック１０のたわみと変形が減少する。従って、前記グラウト・チャンバ３５と開口部４５，４７とによって、ブロック１０を介する水頭損失によって生じる内部圧力によるアップリフト障害が防止され、フィルタ・ブロック１０が濾床５４上でしっかりと保持される。別の実施例において、前記フィルタ・ブロック１０は、このブロック１０を、上方及び底ブロック支持体（図示せず）によってしっかりと保持し、ブロック１０の底壁１９と濾床５４との間で、ブロック１０の側壁１７に沿って、短い時間フレーム内で、グラウトを設置することによって設置される。
【００２５】
図６及び図７を参照すると、第２実施例による暗渠フィルタ・ブロック７５が図示されている。この暗渠フィルタ・ブロック７５は、図１−５に図示し、前述した暗渠フィルタ・ブロック１０に類似している。類似のパーツには類似の参照番号が使用されている。この実施例の暗渠フィルタ・ブロック７５も、上壁１５と、一対の側壁１７と、底壁１９とを備え、これらは、それぞれ、上面２１と、側面２３と底面２５とを形成している。前記ブロックは、前記上壁１５と、側壁１７と底壁１９との外面上に複数の補強リブ２７を備えている。これらのリブ２７は、ブロックの回りを周方向にほぼ延出し、上壁１５上のリブ２７は、上壁１５から側壁１７へと延出するにあたっては不連続である。但し、前記リブ２７は、側壁１７から底壁１９へは連続的に延出している。一方の側壁１７から他方の側壁１７へと横壁２９が延出してブロック７５の内部を上方部３１と下方部３３とに分割している。ブロック７５の前記下方部３３は、前記横壁２９、側壁１７及び底壁１９によって形成されるグラウト・チャンバ３５を備えている。このグラウト・チャンバ３５は、ブロック７５の全長の一部分のみに沿って延出している。更に、前記側壁１７のおのおのは、前記横壁が始まるところで内側に陥没している。従って、前記グラウト・チャンバ３５は、前記側壁１７の最外部分に対して陥没している。
【００２６】
再び図６及び図７を参照すると、前記ブロック７５の上方部３１は、前記横壁２９から延出して前記上壁１５に接続される内部湾曲壁７７によって形成される、第１チャンバ３７と一対の第２チャンバ４０，４１とを備えている。前記湾曲壁７７と第２横壁８１とによってガス導管７９が区画形成されている。前記上壁１５と前記湾曲壁７７と第２横壁８１とは、液体と気体の分配を提供する複数のオリフィス（図示せず）を形成している。前記フィルタ・ブロック１０の底壁１９は、前記グラウト・チャンバ３５内へと延出する複数の開口部４５を形成している。前記側壁１７も、前記ブロック７５の下方部３３に複数の開口部４７を形成し、これら開口部４７はグラウト・チャンバ３５内へと延出している。図６に図示されているように、前記ブロック７５は、複数の開口８５を形成する端部接続部８３を備えている。前記開口部８５は、前記ブロック７５の長手軸心に対して平行な方向で前記端部接続部８３を貫通して延出している。前記端部接続部８３は、図１−５に図示のブロック１０に関して上述したように、複数のブロック７５を端部同士で固定するために利用することができる。前記ブロック７５は、図１−５に図示のブロック１０に関して上述した類似の方法で設置することができる。
【００２７】
図８を参照すると、第３実施例による暗渠フィルタ・ブロック９０が図示されている。この暗渠フィルタ・ブロック９０は、図１−５に図示し、前述した暗渠フィルタ・ブロック１０に類似している。類似のパーツには類似の参照番号が使用されている。この実施例の暗渠フィルタ・ブロック９０は、当該ブロック９０の底面から延出するリブ９６間に位置する壁セグメント９４によって形成される複数のグラウト・チャンバ９２を備えている。前記壁セグメント９４は、前記リブ９６間を長手方向に延出している。従って、前記グラウト・チャンバ９２は、前記リブ９６と壁セグメント９４とによって形成されている。前記壁セグメント９４は、それぞれ、図１−５に図示した暗渠フィルタ・ブロック１０の開口部４５に関連して前述したように、グラウトを受けるための複数の開口部９８を形成している。前記ブロック９０の内部１０１は、第１及び第２の導管を形成するべく傾斜延出壁又は湾曲壁を備える上述した暗渠フィルタ・ブロック１０，７５の上方部３１に類似のものとすることができる。前記ブロック９０は、図１−５に図示したブロック１０と同様に設置可能であるが、ここでは、グラウト・チャンバ９２の開口側部がブロック１０の開口部４７ではなくグラウトを受ける。
【００２８】
図９を参照すると、第４実施例による暗渠フィルタ・ブロック１１０が図示されている。この暗渠フィルタ・ブロック１１０は、図１−５に図示し、前述した暗渠フィルタ・ブロック１０に類似している。類似のパーツには類似の参照番号が使用されている。前記暗渠フィルタ・ブロック１１０は、図１−５に図示した暗渠フィルタ・ブロック１０と同様に、底壁１９に形成された開口部４５と、側壁１７のそれぞれに形成された開口部４７とを備えている。但し、暗渠フィルタ・ブロック１１０の開口部４７は、側壁１７が底壁１９と結びつく位置に位置し、これら開口部４７は非円形に形成されている。具体的には、前記暗渠フィルタ・ブロック１１０の開口部４７は、全体として平坦な底部を備える上方円形部分を有する。前記ブロック１１０は、図１−５に図示したブロック１０に関連して上述したように設置することができる。
【００２９】
図１０を参照すると、第５実施例による暗渠フィルタ・ブロック１２０が図示されている。この暗渠フィルタ・ブロック１２０は、図１−５に図示し、前述した暗渠フィルタ・ブロック１０に類似している。類似のパーツには類似の参照番号が使用されている。前記暗渠フィルタ・ブロック１２０は、前記ブロック１２０の全長に渡っては延出しないことによってブロック１２０の端部の近傍に切り欠き１２２を形成しているグラウト・チャンバ３５を備えている。前記暗渠フィルタ・ブロック１２０の側壁１７の開口部４７は、図９に図示した暗渠フィルタ・ブロック１１０に関連して上述したものに類似している。前記切り欠き１２２は、支持構造体（図示せず）を受け入れるように構成されている。例えば、前記切り欠き１２２は、ユニ・ストラット（uni-strut）を受け入れることができる。前記ブロック１２０は、図１−５に図示したブロック１０に関連して上述したように設置することができる。
【００３０】
図１１を参照すると、第６実施例による暗渠フィルタ・ブロック１３０が図示されている。この暗渠フィルタ・ブロック１３０は、図１−５に図示し、前述した暗渠フィルタ・ブロック１０に類似している。類似のパーツには類似の参照番号が使用されている。前記暗渠フィルタ・ブロック１３０は、当該暗渠フィルタ・ブロック１３０の底面１３６上に位置する格子状構造体１３４によって形成される複数のグラウト・チャンバ１３２を備えている。前記ブロック１３０の底面１３６は、前記グラウト・チャンバ１３２のそれぞれの内部へと延出する複数の空気抜き開口部１３８を形成している。前記格子状構造体１３４は、前記底面１３６のたわみと変形を抑制するべくブロック１３０を強化する。更に、前記グラウト・チャンバ１３２のそれぞれは、図１−５に図示の暗渠フィルタ・ブロック１０のグラウト・チャンバ３５に関連して上述したのと同様にグラウトを受け入れる。前記空気抜き開口部１３８は、グラウト・チャンバ１３２が確実にグラウトによって満たされるように空気が排気されることを許容するとともに、ブロック１３０を硬化し強化する。前記ブロック１３０は、図１−５に図示したブロック１０に関連して上述したように設置することができる。
【００３１】
図１２を参照すると、第７実施例による暗渠フィルタ・ブロック１５０が図示されている。この暗渠フィルタ・ブロック１５０は、図９に図示した暗渠フィルタ・ブロック１１０に類似している。前記フィルタ・ブロック１５０は、別体の第１及び第２ピース１５２，１５４から形成されている。前記第１ピース１５２は、上壁１５６と側壁１５８と底壁１６０とによって形成され、この第１ピース１５２の回りを周方向に延出する複数のリブ１６２を備える、矩形体を有する。前記第１ピース１５２は、中空内部を有し、前記側壁１５８と底壁１６０とによって形成される開口部１６４，１６６を備えている。前記第２ピース１５４は、横壁１６８と湾曲壁１７０とを含む内壁を形成している。前記湾曲壁１７０は、前記横壁１６８に固定されている。図示はされていないが、前記第２ピース１５４（特に、前記湾曲壁１７０）には、一般的に従来技術に知られている流体の流れ用のオリフィスを設けることができる。前記第１及び第２ピース１５２，１５４は、単一の一体構造体として一体形成されている。但し、これら第１及び第２ピース１５２，１５４を複数のピースから個別に形成することも可能である。
【００３２】
図１２に図示されているように、前記暗渠フィルタ・ブロック１５０は、前記横壁１６８の外縁を側壁１５８の内面によって形成される溝１７４に係合させた状態で第２ピース１５４を第１ピース１５２に挿入することによって組みつけられる。前記第２ピース１５４は、更に、前記第１ピース１５２の上壁１５６と、第２ピース１５４の湾曲壁１７０の上部の係合ボス１７２とを通して延出するファスナ（図示せず）によって前記第１ピース１５２に対して固定される。第１ピース１５２と第２ピース１５４とを組み付けた後、前記第２ピース１５４の前記横壁１６８と、前記側壁１５８の底部と、前記底壁１６０とによって、例えば、図１−５に図示した暗渠フィルタ・ブロック１０関連して上述したようなグラウト・チャンバが形成される。前記第２ピース１５４の湾曲壁１７０の横壁１６８は、第１導管を形成する。同様に、前記第１ピース１５２と前記横壁１６８と前記湾曲壁１７０とによって第２導管が形成される。
【００３３】
図１３を参照すると、第８実施例による暗渠フィルタ・ブロック１８０が図示されている。この暗渠フィルタ・ブロック１８０は、図６及び図７に図示した暗渠フィルタ・ブロックに類似している。但し、この暗渠フィルタ・ブロック１８０は、グラウト・チャンバを形成するべく、互いに別体の第１ピース１８２及び第２ピース１８４から形成されている。前記第１ピース１８２は、上壁１８６、側壁１８８及び底壁１９０によって形成される矩形体を有する。前記第１ピース１８２は、前記第１ピース１８２の周囲において周方向に延出する複数のリブ１９２を有する。前記第１ピース１８２は、更に、内部湾曲壁１９４と内部横壁１９６とを有し、これらによって第１及び第２導管が形成されている。前記第２ピース１８４は、矩形の底壁２０１に固定された一対の矩形の側壁１９８を備えている。前記第２ピース１８４は、前記側壁１９８に形成された開口部２０３と、前記底壁２０１に形成された開口部２０５とを形成している。
【００３４】
図１３に図示されているように、前記暗渠フィルタ・ブロック１８０は、前記第２ピース１８４を第１ピース１８２取り付けることによって組みつけられる。更に詳しくは、前記第２ピース１８４は、側壁１９８状のボス２０７を備え、これらボス２０７を貫通して延出するファスナ２０９によって前記第１ピース１８２の底壁１９０に固定される。前記第２ピース１８４の側壁１９８は、第１ピース１８２のリブ１９２を受け入れるノッチ２１１を形成している。前記第１ピース１８２の底壁１９０には予め穿孔することができ、或いは、自己タッピング式ファスナを利用することも可能である。第１ピース１８２と第２ピース１８４とが組み付けられた後、前記第１ピース１８２の底壁１９０と、第２ピース１８４の側壁１９８と第２ピース１８４の底壁２０１とによって、例えば、図１−５に図示した暗渠フィルタ・ブロック１０に関連して上述したようなグラウト・チャンバが形成される。前記第１ピース１８２は、図６及び図７に図示した暗渠フィルタ・ブロック７５に関連して上述したように第１及び第２導管を形成する。
【００３５】
図１４を参照すると、第９実施例による暗渠フィルタ・ブロック２２０が図示されている。この暗渠フィルタ・ブロック２２０は、図１３に図示した暗渠フィルタ・ブロック１８０に類似している。この暗渠フィルタ・ブロック２２０は、グラウト・チャンバを形成するべく、互いに別体の第１ピース２２２及び第２ピース２２４から形成されている。前記第１ピース２２２は、上壁２２６、側壁２２８及び底壁２３０によって形成される矩形体を有する。前記第１ピース２２２は、更に、内部湾曲壁２３２と内部横壁２３４とを有し、これらによって第１導管及び第２導管が形成されている。前記第２ピース２２４は、矩形の底壁２３８に固定された一対の矩形の側壁２３６を備えている。前記第２ピースは、前記側壁２３６に形成された開口部２４０と、前記底壁２３８に形成された開口部２４２とを形成している。
【００３６】
図１４に図示されているように、前記暗渠フィルタ・ブロック２２０は、前記第２ピース２２４を前記第１ピース２２２に挿入し、前記第２ピース２２４を第１ピース２２２に取り付けることによって組みつけられる。より詳しくは、前記第２ピース２２４は、前記側壁２３６に形成されたファスナ穴２４４を備え、第１ピース２２２及び第２ピース２２４の側壁２２８，２３６を貫通して延出するファスナ２４６によって第１ピース２２２の側壁２２８に固定される。第１ピース２２２と第２ピース２２４とが組み付けられた後、前記第１ピース２２２の底壁２３０と、第２ピース２２４の側壁２３６と第２ピース２２４の底壁２３８とによって、例えば、図１−５に図示した暗渠フィルタ・ブロック１０に関連して上述したようなグラウト・チャンバが形成される。前記第１ピース２２２は、図６及び図７に図示した暗渠フィルタ・ブロック７５に関連して上述したように第１導管及び第２導管を形成する。
【００３７】
図１５を参照すると、第１０実施例による暗渠フィルタ・ブロック２６０が図示されている。この暗渠フィルタ・ブロック２６０は、図８に図示した暗渠フィルタ・ブロック９０に類似している。この暗渠フィルタ・ブロック２６０は、図８に図示したブロック９０に関連して上述した、複数のグラウト・チャンバを形成するべく、互いに別体の第１ピース２６２及び第２ピース２６４から形成されている。前記第１ピース２６２は、ほぼ矩形であり、上壁２６６、側壁２６８及び底壁２７０によって形成されている。前記第１ピース２６２は、この第１ピース２６２の回りを周方向に延出するとともに、前記底壁２７０からも延出する複数のリブ２７２を備えている。前記第２ピース２６４は、複数の開口部２７４と複数のファスナ穴２７６とを形成する板状矩形体である。図１５に図示されているように、前記暗渠フィルタ・ブロック２６０は、ファスナ２７８によって第２ピース２６４を第１ピース２６２のリブ２７２の底に固定することによって組みつけられる。第１ピース２６２と第２ピース２６４とが組み付けられた後、前記第１ピース２６２の底壁２７０と、リブ２７２と第２ピース２６４とによって、例えば図８に図示した暗渠フィルタ・ブロック９０に関連して上述したような複数のグラウト・チャンバが形成れされる。
【００３８】
以上本発明を好適実施例を参照して説明した。以上の詳細説明を読み理解することによって当業者は、改造及び改変を容易に想到するであろう。本発明は、そのような改造及び改変を含むものと理解される。
【図１】
2013517135.tif 000003
【図２】
2013517135.tif 000004
【図３】
2013517135.tif 000005
【図４】
2013517135.tif 000006
【図５】
2013517135.tif 000007
【図６】
2013517135.tif 000008
【図７】
2013517135.tif 000009
【図８】
2013517135.tif 000010
【図９】
2013517135.tif 000011
【図１０】
2013517135.tif 000012
【図１１】
2013517135.tif 000013
【図１２】
2013517135.tif 000014
【図１３】
2013517135.tif 000015
【図１４】
2013517135.tif 000016
【図１５】
2013517135.tif 000017
【国際調査報告】
2013517135.tif 000018
2013517135.tif 000019